(57)【要約】      （修正有）【課題】迅速に分解可能なハンドルの構造の提供。【解決手段】主にカムハンドル３を設置空間中に設置し、該設置空間内には固定部品４を設置する。該固定部品片側には凸点４３と停止部４１、弾性部品４４と軸棒５を設置し、該軸棒には凹槽５４を設置し、かつ曲面を具える。該固定部品は凸点を利用し、該弾性部品を固定し、これにより該弾性部品は弾力的に第一位置と第二位置の移動を行う。さらに、該カムハンドルを固定し、第二ロックを形成し、ハンドルは緩みにくくなる。【選択図】図３
0003119911.tif 000002
【実用新案登録請求の範囲】
【請求項１】
主に第一サポートフレーム、第二サポートフレーム、カムハンドル、固定部品、軸棒、密着部、固定部により構成し、
該カムハンドルは設置空間を設け、該設置空間には固定部品を設置し、該固定部品片側には凸点と停止部、弾性部品と軸棒を設け、該軸棒には凹槽を設け、かつ曲面を具え、該固定部品は該凸点を用いて該弾性部品を固定し、これにより該弾性部品は弾力的に第一位置と第二位置の移動を行うことを特徴とする、迅速に分解可能なハンドルの構造。
【請求項２】
請求項１記載の迅速に分解可能なハンドルの構造において、前記固定部品は第一位置にある時、該停止部と該凹槽は相互に連結し、該設置空間に固定され、該固定部品は該第二位置にある時、該停止部と該凹槽は離脱し、該カムハンドルは回転移動運動を行うことを特徴とする、迅速に分解可能なハンドルの構造。
【請求項３】
請求項１記載の迅速に分解可能なハンドルの構造において、前記軸棒は密着部と螺固体を貫通し、該第一サポートフレームと第二サポートフレーム上に固定し、該軸棒の曲面は該密着部に密着することを特徴とする、迅速に分解可能なハンドルの構造。
【考案の詳細な説明】
【技術分野】
【０００１】
本考案は一種の迅速に分解可能なハンドルの構造に関する。特に一種の自転車ハンドル或いは車体に使用する分解構造で、迅速な分解を達成し、第二ロックの構造を兼備える迅速に分解可能なハンドルの構造に係る。
【背景技術】
【０００２】
図１、２に示すように、公知の折畳み自転車のハンドル構造９は相互に蓋合する上枠台９１と下枠台９２、迅速分解レンチ９４、フック部品９５、弾性部品９６により構成する。
【０００３】
該上枠台９１と該下枠台９２はボルト９３により接続され、ナット９３１により螺固される。該上枠台９１の頂点面には上サポートフレーム９７を結合し、該上サポートフレーム９７一端にはハンドル９８を結合する。該下枠台９２の底面には下サポートフレーム９８を結合する。こうして、該ハンドル９８に施力すると、該上枠台９１は該ナット９３を軸として回転移動運動を行い、該上枠台９１と該下枠台９２は分離或いは結合動作を行う。
【０００４】
該下枠台９２の頂点面には栓棒９４３を設置し、該迅速分解レンチ９４を接続する。該迅速分解レンチ９４は外端可動接続レンチ９４１と軸棒９４２を具える。該フック部品９５一端は該弾性部品９６と連接し、該弾性部品９６の弾性引力を受け、しかも反対端にはフック部９５１を具える。該上枠台９１頂点面には凹口９１２を具えた固定管９１１を延伸し、該凹口９１２と該迅速分解レンチ９４の位置は相互に対応する。しかも、該上枠台９１の該フック部品９５に対応する位置には欠口９１３を設置する。該下枠台９２は該迅速分解レンチ９４と該フック部品９５に対応する位置において、それ開口９２１と断槽９２２を設置する。
【０００５】
上記構造により、該上枠台９１と該下枠台９２の結合動作を行う時には、該迅速分解レンチ９４は該開口９２１と該凹口９１２が形成する可動空間において運動し、該フック部品９５は該断槽９２２と該欠口９１３が形成する可動空間において運動し、最後に該フック部９５１により該上枠台９１を固定する。
しかし、上記公知構造は使用部品が非常に多く、雑多で、組立てが容易でなく、使用者はスムーズに迅速分解を行うことができない。
【考案の開示】
【考案が解決しようとする課題】
【０００６】
本考案は下記の迅速に分解可能なハンドルの構造を提供する。それは主にカムハンドルは設置空間を設置し、該設置空間には固定部品を設置し、該固定部品片側には凸点と停止部、弾性部品と軸棒を設置し、該軸棒には凹槽を設置し、かつ曲面を具え、該固定部品は該凸点を利用し該弾性部品を固定し、これにより該弾性部品は弾力的に第一位置と第二位置の移動を行う。
【０００７】
またそれは自転車ハンドル或いは車体に使用する迅速に分解可能な構造で、該設計により迅速な分解と取付けを達成可能であることを特徴とする迅速に分解可能なハンドルの構造である。
【課題を解決するための手段】
【０００８】
請求項１の考案は、主に第一サポートフレーム、第二サポートフレーム、カムハンドル、固定部品、軸棒、密着部、固定部により構成し、
該カムハンドルは設置空間を設け、該設置空間には固定部品を設置し、該固定部品片側には凸点と停止部、弾性部品と軸棒を設け、該軸棒には凹槽を設け、かつ曲面を具え、該固定部品は該凸点を用いて該弾性部品を固定し、これにより該弾性部品は弾力的に第一位置と第二位置の移動を行うことを特徴とする、迅速に分解可能なハンドルの構造としている。
請求項２の考案は、請求項１記載の迅速に分解可能なハンドルの構造において、前記固定部品は第一位置にある時、該停止部と該凹槽は相互に連結し、該設置空間に固定され、該固定部品は該第二位置にある時、該停止部と該凹槽は離脱し、該カムハンドルは回転移動運動を行うことを特徴とする、迅速に分解可能なハンドルの構造としている。
請求項３の考案は、請求項１記載の迅速に分解可能なハンドルの構造において、前記軸棒は密着部と螺固体を貫通し、該第一サポートフレームと第二サポートフレーム上に固定し、該軸棒の曲面は該密着部に密着することを特徴とする、迅速に分解可能なハンドルの構造としている。
【考案の効果】
【０００９】
本考案はカムハンドルによる迅速に分解する機能と、第二ロックの機能を兼ね具え、産業上の利用価値が高い新規で進歩的な考案である。
【考案を実施するための最良の形態】
【００１０】
図３、４に示すように、本考案は第一サポートフレーム１、第二サポートフレーム２、カムハンドル３、固定部品４、軸棒５、密着部６、固定部７により構成する。
該第一サポートフレーム１と該第二サポートフレーム２の片側にはそれ第一貫通孔１２を具える第一耳部１１と第二貫通孔２２を具える第二耳部２１を設置する。該第一貫通孔１２と該第二貫通孔２２の位置は相互に対応する。
【００１１】
該カムハンドル３は設置空間３１、ネジ３２、ナット３３、挿入ピン３４を設置する。
該固定部品４片側には停止部４１を設置し、反対側は相対し押圧部４２で、該押圧部４２後側には凸点４３を設置し、弾性部品４４により該凸点４３上において固定する。
該軸棒５一端は軸芯５１で、該軸芯５１の上には凹槽５１１を設置し、しかも対応する反対側は曲面５１２である。
該密着部６はゴム製で、その上には密着側６１を設置する。該密着側６１形状は該曲面５１２と相対し、相互に密着し連接する。
【００１２】
上記構造において、該固定部品４が該設置空間３１中にある時、該挿入ピン３４によりそれぞれ該カムハンドル３と該固定部品４を貫通し、該カムハンドル３と該固定部品４を接続する。しかも、該凸点４３と該停止部４１の相対位置により該弾性部品４４を該設置空間３１と該固定部品４間において制限することができる。
また、該軸棒５が軸芯５１により該設置空間３１に設置される時、該ネジ３２は該カムハンドル３と該軸棒５を通過し、該カムハンドル３と該軸棒５を相互に接続し、最後に該軸棒５は該密着部６を貫通する。
該第一貫通孔１２と該第二貫通孔２２は該固定部７により固定され一体に結合する。
【００１３】
次に図５に示すように、該停止部４１は該凹槽５１１に密着、係合する時、該カムハンドル３と該軸棒５を相互に固定する。この時、該カムハンドル３の曲面５１２は該密着部６の密着側６１上に密着し、さらに該固定部７により固定する。該カムハンドル３と該密着部６回転の高度差に対応し、該第一サポートフレーム１と該第二サポートフレーム２は密着固定される。
【００１４】
さらに図６、７に示すように、該固定部品４は該挿入ピン３４を軸とし、該固定部品４上に施力し、該弾性部品４４を圧迫する。これにより該弾性部品４４は該第一位置４５上に位置し、かつ施力を放つ時、該弾性部品４４そのものの回復弾力により該第二位置４６上に位置する。このため、該押圧部４２を押すと、該弾性部品４４は該第一位置４５上に位置する。
この時、該停止部４１は該凹槽５１１を離脱し、該カムハンドル３は該第一サポートフレーム１の底槽１３を利用し、該第一サポートフレーム１と離脱し、こうして該第一サポートフレーム１と該第二サポートフレーム２は緩む(図７参照)。
【００１５】
さらに図８に示すように、本考案の第一サポートフレーム１はハンドル８を結合するため、使用する時或いは調整を行う時には、迅速に該ハンドル８と自転車を分解及び結合させることができる。
【図面の簡単な説明】
【００１６】
【図１】公知の安全ロックを具えた折畳み自転車ハンドルの構造を示す図である。
【図２】公知の安全ロックを具えた折畳み自転車ハンドルの構造の固定外観図である。
【図３】本考案の迅速に分解可能なハンドルの構造の構造分解図である。
【図４】本考案の迅速に分解可能なハンドルの構造の全体組合せを示す図である。
【図５】本考案の迅速に分解可能なハンドルの構造の係合動作の状況を示す図である。
【図６】本考案の迅速に分解可能なハンドルの構造の第二ロック開放の状況を示す図である。
【図７】本考案の迅速に分解可能なハンドルの構造のカムハンドル回転動作の状況を示す図である。
【図８】本考案の迅速に分解可能なハンドルの構造使用状態を示す図である。
【符号の説明】
【００１７】
９  折畳み自転車のハンドル構造
９１  上枠台
９１１  固定管
９１２  凹口
９１３  欠口
９２  下枠台
９２１  開口
９２２  断槽
９２４  軸棒
９３  ボルト
９３１  ナット
９４  迅速分解レンチ
９４１  外端可動接続レンチ
９４３  栓棒
９５  フック部品
９５１  フック部
９６  弾性部品
９７  上サポートフレーム
９８  ハンドル
１  第一サポートフレーム
１１  第一耳部
１２  第一貫通孔
１３  底槽
２  第二サポートフレーム
２１  第二耳部
２２  第二貫通孔
３  カムハンドル
３１  設置空間
３２  ネジ
３３  ナット
３４  挿入ピン
４  固定部品
４１  停止部
４２  押圧部
４３  凸点
４４  弾性部品
４５  第一位置
４６  第二位置
５  軸棒
５１  軸芯
５１１  凹槽
５１２  曲面
６  密着部
６１  密着側
７  固定部
８  ハンドル
【図１】
0003119911.tif 000003
【図２】
0003119911.tif 000004
【図３】
0003119911.tif 000005
【図４】
0003119911.tif 000006
【図５】
0003119911.tif 000007
【図６】
0003119911.tif 000008
【図７】
0003119911.tif 000009
【図８】
0003119911.tif 000010